【手続補正書】
【提出日】平成22年4月1日(2010.4.1)
【手続補正１】
【補正対象書類名】明細書
【補正対象項目名】０００２
【補正方法】変更
【補正の内容】
【０００２】
従来、デジタル電子スチルカメラにおいて、画像情報を記録するための複数のメモリよりなるメモリ部を有し、そのうちの１のメモリの容量が一杯になったときにそのメモリを書き込み不可状態にするとともに、書き込み可能なメモリを探索して、そのメモリに画像情報を記録するものが提案されている（特許文献１）。
特許文献２には、デジタルスチルカメラ装置において、記録媒体が装着されていないことを検出した場合に、撮影時にメモリ部（ＤＲＡＭ、ＶＲＡＭ又はＳＲＡＭ）に記憶されたデジタル画像信号を読み出して表示部に表示することが開示されている。
特許文献３には、デジタルカメラにおいて、デモンストレーションモードが設定された場合に、撮影された画像データをメモリ部（一時記憶手段）に一時記憶することが開示されている。
特許文献４には、電子カメラにおいて、スマートメディアが装着されているが、スマートメディアに次に撮影する画像を記録するだけの空き容量がない場合に、スルー画像の表示を禁止して警告表示を行い、スマートメディアが装着されておらず、内蔵メモリに次に撮影する画像を記録するだけの空き容量がない場合に、スルー画像に警告表示を重畳することが開示されている。
特許文献５には、メモリカードを未装着の場合に実行されるデモモードにおいて、操作部による画質モードの設定とは無関係に、所定の低画質モードを自動的に設定すること、及び撮影された画像データをＳＤＲＡＭに記憶することが開示されている。
【特許文献１】特開平５−２７６４７２号公報
【特許文献２】特開平１１−１４６３１４号公報
【特許文献３】特開２００３−２７４２３６号公報
【特許文献４】特開２００３−８９６５号公報
【特許文献５】特開２００１−３５２４７８号公報
【手続補正２】
【補正対象書類名】明細書
【補正対象項目名】０００５
【補正方法】変更
【補正の内容】
【０００５】
上記目的を達成するために、本発明の第１の態様に係る撮像装置は、画像を撮像する撮像手段と、前記撮像手段に撮像の実行指示を行うための撮像指示手段と、前記撮像された画像を記録する記録手段と、前記撮像された画像を表示する表示手段と、前記撮像の実行指示が行われたとき、前記記録手段に前記撮像された画像を記録するための空き容量がある場合に、前記撮像手段に撮像を実行させるとともに、前記記録手段に前記撮像された画像を記録する一方、前記記録手段に前記撮像された画像を記録するための空き容量がない場合に、前記撮像手段に撮像を実行させるとともに、前記表示手段に前記撮像された画像を表示させる制御手段とを備えることを特徴とする。
【手続補正３】
【補正対象書類名】明細書
【補正対象項目名】０００６
【補正方法】変更
【補正の内容】
【０００６】
上記第１の態様に係る撮像装置によれば、例えば、撮像装置の店頭デモを行う場合に、撮像装置の記録手段が一杯になる都度、店員等が記録手段に記録された内の画像を消去することなく、撮像処理や撮像した画像の再生処理を体験することができる。
【手続補正４】
【補正対象書類名】明細書
【補正対象項目名】０００７
【補正方法】変更
【補正の内容】
【０００７】
本発明の第２の態様に係る撮像装置は、上記第１の態様において、前記制御手段は、前記記録手段に前記撮像された画像を記録するための空き容量がない場合に、撮像された画像を前記表示手段に表示させる際に警告を出力する警告出力手段を更に備えることを特徴とする。
【手続補正５】
【補正対象書類名】明細書
【補正対象項目名】０００８
【補正方法】変更
【補正の内容】
【０００８】
上記第２の態様に係る撮像装置によれば、撮像された画像が記録手段に記録されないことを画像を撮像したユーザに通知できる。
上記第３の態様に係る撮像装置は、上記第１又は第２の態様において、画像の撮像を行う撮像モードと、撮像した画像を再生する再生モードとの間で、前記撮像装置の動作モードを切り替える動作モード切替手段と、前記撮像の実行指示が行われたときに、前記記録手段に前記撮像された画像を記録するための空き容量がない場合に、前記撮像された画像を一時記録する一時記録手段とを更に備え、前記制御手段は、前記動作モードが前記再生モードのときに、前記記録手段に記録された画像と、前記一時記録手段に記録された画像とをともに前記表示手段に表示可能とすることを特徴とする。
上記第４の態様に係る撮像装置は、上記第１又は第２の態様において、前記撮像の実行指示が行われたときに、前記記録手段に前記撮像された画像を記録するための空き容量がない場合に、前記撮像された画像を一時記録する一時記録手段を更に備え、前記制御手段は、前記撮像の実行指示が行われたときに、前記記録手段に前記撮像された画像を記録するための空き容量がない場合に一時記録された画像を、前記一時記録手段に前記撮像された画像を記録するための空き容量がなくなるまで保持し、前記一時記録手段に前記撮像された画像を記録するための空き容量がなくなった場合に、前記一時記録手段に保持された画像を削除することを特徴とする。
【手続補正６】
【補正対象書類名】明細書
【補正対象項目名】０００９
【補正方法】変更
【補正の内容】
【０００９】
本発明の第５の態様に係る撮像装置制御方法は、撮像装置を制御するための撮像制御方法であって、撮像の実行指示が行われたとき、前記撮像装置の撮像手段により撮像された画像を記録するための記録手段に、前記撮像された画像を記録するための空き容量がなくても、前記撮像手段に撮像を実行させる第１の撮像工程と、前記撮像の実行指示が行われたとき、前記記録手段に前記撮像された画像を記録するための空き容量がある場合に、前記撮像手段に撮像を実行させるとともに、前記記録手段に前記撮像された画像を記録する第２の撮像工程と、前記撮像された画像を表示手段に表示する表示工程とを備えることを特徴とする。
【手続補正７】
【補正対象書類名】明細書
【補正対象項目名】００１０
【補正方法】変更
【補正の内容】
【００１０】
本発明の第６の態様に係る撮像装置制御方法は、上記第５の態様において、前記記録手段に前記撮像された画像を記録するための空き容量がない場合に、撮像された画像を表示する際に警告を出力する警告出力工程を更に備えることを特徴とする。
上記第７の態様に係る撮像装置制御方法は、上記第５又は第６の態様において、前記第１の撮像工程において撮像された画像を、前記撮像装置の一時記録手段に一時記録する一時記録工程と、前記撮像装置の動作モードが再生モードに切り替えられた場合に、前記記録手段に記録された画像と、前記一時記録手段に記録された画像とをともに前記表示手段により再生表示する再生表示工程とを更に備えることを特徴とする。
上記第８の態様に係る撮像装置制御方法は、上記第５又は第６の態様において、前記第１の撮像工程において撮像された画像を、前記撮像装置の一時記録手段に一時記録する一時記録工程と、前記撮像の実行指示が行われたときに、前記記録手段に前記撮像された画像を記録するための空き容量がない場合に一時記録された画像を、前記一時記録手段に前記撮像された画像を記録するための空き容量がなくなるまで保持し、前記一時記録手段に前記撮像された画像を記録するための空き容量がなくなった場合に、前記一時記録手段に保持された画像を削除する工程とを更に備えることを特徴とする。
【手続補正８】
【補正対象書類名】明細書
【補正対象項目名】００１１
【補正方法】変更
【補正の内容】
【００１１】
本発明の第９の態様に係る撮像装置制御プログラムは、撮像装置を制御するための撮像装置制御プログラムであって、撮像の実行指示が行われたとき、前記撮像装置の撮像手段により撮像された画像を記録するための記録手段に、前記撮像された画像を記録するための空き容量がなくても、前記撮像手段に撮像を実行させる第１の撮像機能と、前記撮像の実行指示が行われたとき、前記記録手段に前記撮像された画像を記録するための空き容量がある場合に、前記撮像手段に撮像を実行させるとともに、前記記録手段に前記撮像された画像を記録する第２の撮像機能と、前記撮像された画像を表示手段に表示する表示機能とをコンピュータに実現させることを特徴とする。
【手続補正９】
【補正対象書類名】明細書
【補正対象項目名】００１２
【補正方法】変更
【補正の内容】
【００１２】
本発明の第１０の態様に係る撮像装置制御プログラムは、上記第９の態様において、前記記録手段に前記撮像された画像を記録するための空き容量がない場合に、撮像された画像を表示する際に警告を出力する警告出力機能をコンピュータに実現させることを特徴とする。
上記第１１の態様に係る撮像装置制御プログラムは、上記第９又は第１０の態様において、画像の撮像を行う撮像モードと、撮像した画像を再生する再生モードとの間で、前記撮像装置の動作モードを切り替える動作モード切替機能と、前記第１の撮像機能によって撮像された画像を、前記撮像装置の一時記録手段に一時記録する一時記録機能と、前記撮像装置の動作モードが再生モードに切り替えられた場合に、前記記録手段に記録された画像と、前記一時記録手段に記録された画像とをともに前記表示手段により再生表示する再生表示機能とをコンピュータに実現させることを特徴とする。
上記第１２の態様に係る撮像装置制御プログラムは、上記第９又は第１０の態様において、前記第１の撮像工程において撮像された画像を、前記撮像装置の一時記録手段に一時記録する一時記録機能と、前記撮像の実行指示が行われたときに、前記記録手段に前記撮像された画像を記録するための空き容量がない場合に一時記録された画像を、前記一時記録手段に前記撮像された画像を記録するための空き容量がなくなるまで保持し、前記一時記録手段に前記撮像された画像を記録するための空き容量がなくなった場合に、前記一時記録手段に保持された画像を削除する機能とをコンピュータに実現させることを特徴とする。
【手続補正１０】
【補正対象書類名】明細書
【補正対象項目名】００１３
【補正方法】変更
【補正の内容】
【００１３】
上記の態様に係る撮像装置制御プログラムを含むソフトウェアやファームウェアを撮像装置、例えば、電子カメラ、デジタルカメラ、デジタルビデオカメラ、カメラを備える又は接続された装置（携帯電話、ＰＤＡ又はパソコン）等の装置に適用することにより、本発明の撮像装置及び撮像装置制御方法を実現することができる。
【手続補正１１】
【補正対象書類名】明細書
【補正対象項目名】００３３
【補正方法】変更
【補正の内容】
【００３３】
また、撮像装置１０は、パーソナルコンピュータその他の外部機器と接続するための通信手段として外部接続インターフェース（Ｉ／Ｆ）部７２を備える。撮像装置１０は、図示せぬＵＳＢケーブル等を用いて撮像装置１０と外部機器を接続することにより、外部機器との間でデータの受渡しが可能となる。なお、外部機器との通信方式はＵＳＢに限らず、IEEE1394やBluetooth（登録商標）、その他の通信方式を適用してもよい。
【手続補正１２】
【補正対象書類名】特許請求の範囲
【補正対象項目名】全文
【補正方法】変更
【補正の内容】
【特許請求の範囲】
【請求項１】
画像を撮像する撮像手段と、
前記撮像手段に撮像の実行指示を行うための撮像指示手段と、
前記撮像された画像を記録する記録手段と、
前記撮像された画像を表示する表示手段と、
前記撮像の実行指示が行われたとき、前記記録手段に前記撮像された画像を記録するための空き容量がある場合に、前記撮像手段に撮像を実行させるとともに、前記記録手段に前記撮像された画像を記録する一方、前記記録手段に前記撮像された画像を記録するための空き容量がない場合に、前記撮像手段に撮像を実行させるとともに、前記表示手段に前記撮像された画像を表示させる制御手段と、
を備えることを特徴とする撮像装置。
【請求項２】
前記制御手段は、前記記録手段に前記撮像された画像を記録するための空き容量がない場合に、撮像された画像を前記表示手段に表示させる際に警告を出力する警告出力手段を更に備えることを特徴とする請求項１記載の撮像装置。
【請求項３】
画像の撮像を行う撮像モードと、撮像した画像を再生する再生モードとの間で、前記撮像装置の動作モードを切り替える動作モード切替手段と、
前記撮像の実行指示が行われたときに、前記記録手段に前記撮像された画像を記録するための空き容量がない場合に、前記撮像された画像を一時記録する一時記録手段とを更に備え、
前記制御手段は、前記動作モードが前記再生モードのときに、前記記録手段に記録された画像と、前記一時記録手段に記録された画像とをともに前記表示手段に表示可能とすることを特徴とする請求項１又は２記載の撮像装置。
【請求項４】
前記撮像の実行指示が行われたときに、前記記録手段に前記撮像された画像を記録するための空き容量がない場合に、前記撮像された画像を一時記録する一時記録手段を更に備え、
前記制御手段は、前記撮像の実行指示が行われたときに、前記記録手段に前記撮像された画像を記録するための空き容量がない場合に一時記録された画像を、前記一時記録手段に前記撮像された画像を記録するための空き容量がなくなるまで保持し、前記一時記録手段に前記撮像された画像を記録するための空き容量がなくなった場合に、前記一時記録手段に保持された画像を削除することを特徴とする請求項１又は２記載の撮像装置。
【請求項５】
撮像装置を制御するための撮像制御方法であって、
撮像の実行指示が行われたとき、前記撮像装置の撮像手段により撮像された画像を記録するための記録手段に、前記撮像された画像を記録するための空き容量がなくても、前記撮像手段に撮像を実行させる第１の撮像工程と、
前記撮像の実行指示が行われたとき、前記記録手段に前記撮像された画像を記録するための空き容量がある場合に、前記撮像手段に撮像を実行させるとともに、前記記録手段に前記撮像された画像を記録する第２の撮像工程と、
前記撮像された画像を表示手段に表示する表示工程と、
を備えることを特徴とする撮像装置制御方法。
【請求項６】
前記記録手段に前記撮像された画像を記録するための空き容量がない場合に、撮像された画像を表示する際に警告を出力する警告出力工程を更に備えることを特徴とする請求項５記載の撮像装置制御方法。
【請求項７】
前記第１の撮像工程において撮像された画像を、前記撮像装置の一時記録手段に一時記録する一時記録工程と、
前記撮像装置の動作モードが再生モードに切り替えられた場合に、前記記録手段に記録された画像と、前記一時記録手段に記録された画像とをともに前記表示手段により再生表示する再生表示工程と、
を更に備えることを特徴とする請求項５又は６記載の撮像装置制御方法。
【請求項８】
前記第１の撮像工程において撮像された画像を、前記撮像装置の一時記録手段に一時記録する一時記録工程と、
前記撮像の実行指示が行われたときに、前記記録手段に前記撮像された画像を記録するための空き容量がない場合に一時記録された画像を、前記一時記録手段に前記撮像された画像を記録するための空き容量がなくなるまで保持し、前記一時記録手段に前記撮像された画像を記録するための空き容量がなくなった場合に、前記一時記録手段に保持された画像を削除する工程と、
を更に備えることを特徴とする請求項５又は６記載の撮像装置制御方法。
【請求項９】
撮像装置を制御するための撮像装置制御プログラムであって、
撮像の実行指示が行われたとき、前記撮像装置の撮像手段により撮像された画像を記録するための記録手段に、前記撮像された画像を記録するための空き容量がなくても、前記撮像手段に撮像を実行させる第１の撮像機能と、
前記撮像の実行指示が行われたとき、前記記録手段に前記撮像された画像を記録するための空き容量がある場合に、前記撮像手段に撮像を実行させるとともに、前記記録手段に前記撮像された画像を記録する第２の撮像機能と、
前記撮像された画像を表示手段に表示する表示機能と、
をコンピュータに実現させることを特徴とする撮像装置制御プログラム。
【請求項１０】
前記記録手段に前記撮像された画像を記録するための空き容量がない場合に、撮像された画像を表示する際に警告を出力する警告出力機能をコンピュータに実現させることを特徴とする請求項９記載の撮像装置制御プログラム。
【請求項１１】
画像の撮像を行う撮像モードと、撮像した画像を再生する再生モードとの間で、前記撮像装置の動作モードを切り替える動作モード切替機能と、
前記第１の撮像機能によって撮像された画像を、前記撮像装置の一時記録手段に一時記録する一時記録機能と、
前記撮像装置の動作モードが再生モードに切り替えられた場合に、前記記録手段に記録された画像と、前記一時記録手段に記録された画像とをともに前記表示手段により再生表示する再生表示機能と、
をコンピュータに実現させることを特徴とする請求項９又は１０記載の撮像装置制御プログラム。
【請求項１２】
前記第１の撮像工程において撮像された画像を、前記撮像装置の一時記録手段に一時記録する一時記録機能と、
前記撮像の実行指示が行われたときに、前記記録手段に前記撮像された画像を記録するための空き容量がない場合に一時記録された画像を、前記一時記録手段に前記撮像された画像を記録するための空き容量がなくなるまで保持し、前記一時記録手段に前記撮像された画像を記録するための空き容量がなくなった場合に、前記一時記録手段に保持された画像を削除する機能と、
をコンピュータに実現させることを特徴とする請求項９又は１０記載の撮像装置制御プログラム。